(57)【要約】【課題】簡単な構成で、ワークの順番が入れ替わったことを把握できるようにする。【解決手段】生産管理コンピュータ６は、最後尾ステーション２１ｅから搬出されるワーク３のバーコードラベル４を参照して最後尾ステーション２１ｅから搬出されるワーク３のシリアルコードを入手し、入手されたシリアルコードと記憶装置７に所定回数前に記憶されたシリアルコードとを照合することによって生産ライン２搬入時の順番でワーク３が搬出されているか判断する。【選択図】図１
2015133006.tif 000002
【特許請求の範囲】
【請求項１】
複数のステーションからなり、ワークと該ワークの識別部とを一緒に移動させ、前記複数のステーションに前記ワークを順に通過させることで一連の作業を前記ワークに対して行う生産ラインの生産管理システムであって、
先頭のステーションに搬入されるワークの識別部を参照して前記先頭のステーションに搬入されるワークの識別情報を入手する第１識別情報入手手段と、
前記第１識別情報入手手段によって入手された前記識別情報を入手された順序で記憶する記憶手段と、
前記第１識別情報入手手段によって入手された前記識別情報に基づき前記複数のステーションのそれぞれに作業内容を指示する指示手段と、
最後尾のステーションから搬出されるワークの識別部を参照して前記最後尾のステーションから搬出されるワークの識別情報を入手する第２識別情報入手手段と、
前記第２識別情報入手手段によって入手された前記識別情報と前記記憶手段に所定回数前に記憶された前記識別情報とを照合することによって前記生産ライン搬入時の順番で前記ワークが搬出されているか判断する順序判断手段と、
を備えたことを特徴とする生産管理システム。
【請求項２】
請求項１に記載の生産管理システムであって、
いずれかのステーションで作業が完了しなかった場合に前記生産ラインを停止させる生産ライン停止手段、
をさらに備えたことを特徴とする生産管理システム。
【発明の詳細な説明】
【技術分野】
【０００１】
本発明は、生産管理システムに関する。
【背景技術】
【０００２】
複数のステーション（加工装置、組立装置、検査装置、作業台等）からなる生産ラインに複数種類のワークを流すにあたり、各ステーションでワークの種類に応じた正しい作業が行われるようにするために、ワークと一緒に移動するＩＤタグ（ＲＦタグ）を活用することが提案されている。
【０００３】
例えば、特許文献１では、ワークを生産ラインに搬入する際に当該ワークと一緒に移動するＩＤタグに各ステーションでの作業内容を記憶しておき、各ステーションで作業を行う際にＩＤタグに記憶されている作業内容をリーダで読み取り、読み取った作業内容に基づき作業を行うようにしている。
【０００４】
このような構成によれば、各ステーションで必要とされる作業を間違いなく行うことができる。
【先行技術文献】
【特許文献】
【０００５】
【特許文献１】特開平４−２８３０５８号公報
【発明の概要】
【発明が解決しようとする課題】
【０００６】
しかしながら、上記構成では、各ステーションにリーダを配置する必要があり、生産ラインのコストが上昇する。
【０００７】
また、上記構成では、生産ラインを流れるワークの順番が何らかの理由で入れ替わったとしても、入れ替わったことを把握することはできない。
【０００８】
本発明は、このような技術的課題に鑑みてなされたもので、複数のステーションからなり生産ラインにおける作業を管理する生産管理システムにおいて、より簡単な構成で、ワークの順番が入れ替わったことを把握できるようにすることを目的とする。
【課題を解決するための手段】
【０００９】
本発明のある態様によれば、複数のステーションからなり、ワークと該ワークの識別部とを一緒に移動させ、前記複数のステーションに前記ワークを順に通過させることで一連の作業を前記ワークに対して行う生産ラインの生産管理システムであって、先頭のステーションに搬入されるワークの識別部を参照して前記先頭のステーションに搬入されるワークの識別情報を入手する第１識別情報入手手段と、前記第１識別情報入手手段によって入手された前記識別情報を入手された順序で記憶する記憶手段と、前記第１識別情報入手手段によって入手された前記識別情報に基づき前記複数のステーションのそれぞれに作業内容を指示する指示手段と、最後尾のステーションから搬出されるワークの識別部を参照して前記最後尾のステーションから搬出されるワークの識別情報を入手する第２識別情報入手手段と、前記第２識別情報入手手段によって入手された前記識別情報と前記記憶手段に所定回数前に記憶された前記識別情報とを照合することによって前記生産ライン搬入時の順番で前記ワークが搬出されているか判断する順序判断手段と、を備えたことを特徴とする生産管理システムが提供される。
【発明の効果】
【００１０】
上記態様によれば、先頭ステーションと最後尾ステーションとに識別情報入手手段（スキャナ、リーダ等）を配置した簡単な構成でありながら、ワークが生産ラインに搬入された順番で生産ラインから搬出されているかを判断することができる。
【図面の簡単な説明】
【００１１】
【図１】本発明の実施形態に係る生産管理システムとそれが適用される生産ラインの概略図である。
【図２】生産管理コンピュータの処理内容を示したフローチャートである。
【図３】記憶装置に記憶される順番照合用リストの一例である。
【図４】生産管理コンピュータの処理内容を示したフローチャートである。
【発明を実施するための形態】
【００１２】
以下、添付図面を参照しながら本発明の実施形態について説明する。
【００１３】
図１は、本発明の実施形態に係る生産管理システム１とそれが適用される生産ライン２の概略構成を示している。
【００１４】
生産ライン２は、直列に接続された複数のステーション２１を備える。各ステーション２１は、組立装置、加工装置、検査装置等の装置、あるいは、作業者が特定の作業を行う作業台である。各ステーション２１は、ワーク３の種類に応じて、複数種類の作業（ワーク３を通過させるのみの作業を含む）の中から適切な作業を選択して行うことができる。以下の説明では、便宜上、先頭に配置されるステーションを先頭ステーション２１ｓ、最後尾に配置されるステーションを最後尾ステーション２１ｅと称し、先頭ステーション２１ｓと最後尾ステーション２１ｅとの間に配置されるステーションを途中工程ステーション２１ｍと称する。
【００１５】
生産ライン２上のワーク３の移動には、ローラコンベア、ベルトコンベア等のコンベアが利用される。ワーク３はコンベアに直接載置されていてもよいし、パレット、スタンド等を介してコンベアに載置されていてもよい。
【００１６】
また、ワーク３には、シリアルコード（ワーク３と対応づけられたワークシリアルコード、ユニットシリアルコード等）が記載されたバーコードラベル４が貼り付けられている。バーコードラベル４は、一次元のものに限定されず、二次元のものであってもよい。そして、先頭ステーション２１ｓと最後尾ステーション２１ｅとには、それぞれバーコードラベル４を読み取り可能な搬入側スキャナ５ｓと搬出側スキャナ５ｅが配置されており、生産ライン２に搬入されるワーク３と生産ライン２から搬出されるワーク３のバーコードラベル４を読み取り、これらワーク３のシリアルコードを入手できるようになっている。入手されたワーク３のシリアルコードは、搬入側スキャナ５ｓ及び搬出側スキャナ５ｅから生産管理コンピュータ６へと送信される。
【００１７】
生産管理コンピュータ６には記憶装置７が接続されている。生産管理コンピュータ６は、搬入側スキャナ５ｓからシリアルコードを受信すると、受信したシリアルコードを記憶装置７に記憶されている順番照合用リスト（図３参照）の末尾に追加する。
【００１８】
また、生産管理コンピュータ６は、搬入側スキャナ５ｓからシリアルコードを受信すると、受信したシリアルコードに基づきワーク３の種類を判別する。記憶装置７には、ワーク３の種類と各ステーション２１で必要とされる作業内容とを対応づけたデータが記憶されており、生産管理コンピュータ６は、判別されたワーク３の種類に基づき記憶装置７から各ステーション２１で必要とされる作業内容を検索して入手する。そして、生産管理コンピュータ６はこれに基づき各ステーション２１に作業内容を指示する。
【００１９】
また、生産管理コンピュータ６は、搬入側スキャナ５ｓからシリアルコードを受信すると、受信したシリアルコードと順番照合用リストとを照合し、生産ライン２搬入時の順番と同じ順番でワーク３が搬出されているかを判断する。そして、生産管理コンピュータ６は、生産ライン２搬入時の順番でワーク３が搬出されていると判断した場合は、生産ライン２の運転を継続し、順番が変更されていると判断した場合は生産ライン２を停止する。
【００２０】
さらに、各ステーション２１は、センサ等を利用して当該ステーション２１において作業が完了したか否かを判断する機能、又は、作業が完了したか否かを作業者が入力するボタン、スイッチ等を有している。各ステーション２１は、作業が完了していないと判断された場合、又は、作業未完を示す入力があった場合は、警報を発報するとともに、後述する生産管理コンピュータ６に異常信号を送信する。異常信号を受信した生産管理コンピュータ６は、生産ライン２を停止させる。
【００２１】
図２は、搬入側スキャナ５ｓからシリアルコードを受信した場合の生産管理コンピュータ６の処理内容を示している。
【００２２】
生産管理コンピュータ６は、搬入側スキャナ５ｓからシリアルコードを受信すると（Ｓ１１でＹＥＳ）、受信したシリアルコードを図３に示す順番照合用リストの末尾に追加する（Ｓ１２）。これにより、順番照合用リストには、生産ライン２に搬入されるワークのシリアルコードが、生産ライン２に搬入された順番で格納される。
【００２３】
そして、生産管理コンピュータ６は、搬入側スキャナ５ｓからシリアルコードを受信したシリアルコードに基づきワーク３の種類を判別し、判別されたワーク３の種類に応じた各ステーション２１での作業内容を記憶装置７から検索して入手し、各ステーション２１に作業内容を送信する（Ｓ１３）。
【００２４】
生産管理コンピュータ６から作業内容に関する指示を受信した各ステーション２１は、例えば、ステーション２１が組立装置であれば、当該ワーク３が流れてきた時に必要な部品を当該ワーク３に組み付け、加工装置であれば当該ワーク３に必要な加工を施す。また、ステーション２１が作業台であれば、受信した作業内容をディスプレイや携帯端末に表示する等によって、必要とされる作業内容を作業者に提示する。
【００２５】
また、図４は、搬出側スキャナ５ｅからシリアルコードを受信した場合の生産管理コンピュータ６の処理内容を示している。
【００２６】
生産管理コンピュータ６は、搬出側スキャナ５ｅからシリアルコードを受信すると（Ｓ２１でＹＥＳ）、順番照合用リストから、所定回数前に記憶されたシリアルコード、具体的には、リストの末尾からステーション２１の数だけリストの先頭側に戻った位置にあるシリアルコードを検索して読み込む（Ｓ２２）。そして、搬出側スキャナ５ｅから受信したシリアルコードと順番照合用リストから読み込んだシリアルコードとを比較し、両者が一致しているか判断する（Ｓ２３）。
【００２７】
ワーク３が生産ライン２に搬入された順番で生産ライン２から搬出されていれば、両者は一致するので、両者が一致している場合は（Ｓ２３でＹＥＳ）、生産管理コンピュータ６は異常なしとして生産ライン２の運転を継続する（Ｓ２４）。これに対し、両者が一致しない場合は（Ｓ２３でＮＯ）、何らかの原因でワーク３の順番が搬入時から変更されているので、生産管理コンピュータ６は生産ライン２を停止する（Ｓ２５）。
【００２８】
続いて、本実施形態の作用効果について説明する。
【００２９】
本実施形態によれば、先頭ステーション２１ｓと最後尾ステーション２１ｅとにスキャナ５ｓ、５ｅを配置した簡単な構成でありながら、ワーク３が生産ライン２に搬入された順番で生産ライン２から搬出されているかを判断することができる。全てのステーション２１にスキャナ等の読み取り装置を配置する必要がないので、低コストの生産ラインを提供することができる（請求項１に対応する作用効果）。
【００３０】
また、先頭ステーション２１ｓと最後尾ステーション２１ｅとにスキャナ５ｓ、５ｅを配置しただけでは、あるステーションで作業が完了しないままワークが次のステーションに進んでしまってもこれを把握することができない。しかしながら、本実施形態では各ステーション２１に作業が完了したか否かを判断し、作業が完了していない場合は生産ライン２を停止させるようにしたことにより、このような不具合も把握することができる（請求項２に対応する作用効果）。
【００３１】
以上、本発明の実施形態について説明したが、上記実施形態は本発明の適用例の一つを示したものに過ぎず、本発明の技術的範囲を上記実施形態の具体的構成に限定する趣旨ではない。
【００３２】
例えば、先頭ステーション２１ｓと最後尾ステーション２１ｅとでワーク３のシリアルコードを入手するために、ワーク３にバーコードラベル４を貼り付けているが、ワーク３が載置されるパレット、スタンド等、ワーク３と一緒に移動するものに貼り付けられていてもよい。当然ながら、バーコードラベル４はシールではなく、印刷であってもよい。
【００３３】
また、ワーク３のシリアルコードを、ＩＤタグ（ＲＦタグ）に記憶しておき、先頭ステーション２１ｓと最後尾ステーション２１ｅとにＩＤタグ（ＲＦタグ）に記憶されているシリアルコードをリーダで読み取るようにしてもよい。
【符号の説明】
【００３４】
１      生産管理システム
２      生産ライン
３      ワーク
４      バーコードラベル（識別部）
５ｓ    スキャナ（第１識別情報入手手段）
５ｅ    スキャナ（第２識別情報入手手段）
６      生産管理コンピュータ（指示手段、順序判断手段、生産ライン停止手段）
７      記憶装置
２１    ステーション
２１ｓ  先頭ステーション
２１ｅ  最後尾ステーション
【図１】
2015133006.tif 000003
【図２】
2015133006.tif 000004
【図３】
2015133006.tif 000005
【図４】
2015133006.tif 000006